(57)【要約】【課題】住宅事情や時間帯に応じて、振動や作動音を気にせずに使用することができるようにする。【解決手段】複数の動作モード（例えば、通常モード及び静音モード）の中から選択された当該動作モードに基づいて、粉砕機構部やエアーコンプレッサー等の動作条件を変更する制御ユニットを備える。これにより、例えば、夜間では、動作時間が長くなるように設定し、かつ、動作速度が遅くなるように設定した粉砕機構部等を動作させたり、昼間では、動作時間が短くなるように設定し、かつ、動作速度が速くなるように設定した粉砕機構部等を動作させたりすることができるようになる。この結果、住宅事情や、時間帯に応じて、振動や作動音を気にせずに当該トイレ装置を使用でき、利便性が向上する。【選択図】図５
2012057395.tif 000002
【特許請求の範囲】
【請求項１】
洗浄水が流入可能に設けられて、排泄された汚物と前記洗浄水を受容する便器本体部と、
前記便器本体部の下部に設けられて、前記便器本体部から流出した前記汚物を粉砕して前記洗浄水と共に汚物流動体と成す粉砕機構部と、
圧縮空気供給装置から供給される圧縮空気を充填可能に前記粉砕機構部の下部に設けられて、前記粉砕機構部から前記汚物流動体が流入する流入口と、該流入口に流入した前記汚物流動体を廃棄場所まで導く排出管部材が接続可能な排出口とを有し、前記流入口から流入した汚物流動体を圧縮空気で圧送して前記排出口から排出する圧送部と、
前記粉砕機構部及び前記圧送部の動作条件を含む動作モードを複数記憶する記憶部と、
前記記憶部に記憶された複数の動作モードの中から選択される当該動作モードに基づいて、前記粉砕機構部又は前記圧送部、若しくは両方の動作条件を変更する制御部とを備えることを特徴とするトイレ装置。
【請求項２】
前記粉砕機構部の動作条件には、前記粉砕機構部に設けられた粉砕歯を駆動する粉砕歯用モータの回転数、前記流入口を開閉する排出弁の開度及び開閉速度のうち少なくとも１つが含まれることを特徴とする請求項１に記載のトイレ装置。
【請求項３】
前記圧送部の動作条件には、前記圧縮空気供給装置における加圧時間が含まれることを特徴とする請求項１又は２に記載のトイレ装置。
【請求項４】
複数の前記動作モードの中から所望の動作モードを選択操作する操作部を更に備え、
前記制御部は、
前記操作部の選択操作によって複数の動作モードの中から選択された当該動作モードに基づいて、前記粉砕機構部又は前記圧送部、若しくは両方の動作条件を変更することを特徴とする請求項１乃至３のいずれかに記載のトイレ装置。
【請求項５】
複数の前記動作モードの中から所望の動作モードを現在の時刻に基づいて選択出力する時刻管理部を更に備え、
前記制御部は、
前記時刻管理部の選択出力によって複数の動作モードの中から選択された当該動作モードに基づいて、前記粉砕機構部又は前記圧送部、若しくは両方の動作条件を変更することを特徴とする請求項１乃至３のいずれかに記載のトイレ装置。
【請求項６】
洗浄水が流入可能に設けられて、排泄された汚物と前記洗浄水を受容する便器本体部と、
前記便器本体部の下部に設けられて、前記便器本体部から流出した前記汚物を粉砕して前記洗浄水と共に汚物流動体と成して流下する粉砕機構部と、
前記粉砕機構部の動作条件を含む動作モードを複数記憶する記憶部と、
前記記憶部に記憶された複数の動作モードの中から選択される当該動作モードに基づいて、前記粉砕機構部の動作条件を変更する制御部とを備えることを特徴とするトイレ装置。
【発明の詳細な説明】
【技術分野】
【０００１】
本発明は、住宅事情や時間帯に応じて、粉砕機構部及び圧送部等の動作条件を変更して、利便性を向上させたトイレ装置に関するものである。
【背景技術】
【０００２】
従来、介護を必要とする人のために、介護用のポータブルトイレ装置が使用されている。このポータブルトイレ装置は、便座に腰を掛ける腰掛式（所謂洋式）の形態が多い。ポータブルトイレ装置は、汚物を受け入れて排出するための容器を備えた形態や、汚物排水を自然流下で行う形態が一般的である。
【０００３】
特許文献１には、排水管勾配を得られない場所において、強制的に汚物を排出する手段として攪拌手段及び圧縮空気タンクを備えたトイレ装置が開示されている。このトイレ装置によれば、便器本体内を密閉状態にして、便器本体内に設けられた攪拌手段により汚物を流動化して汚物流動体にし、便器本体内に圧縮空気タンクからの圧縮空気を送り込んで汚物流動体を圧送排出する。
【０００４】
特許文献２には、エアーコンプレッサーを備えたトイレ装置が開示されている。このトイレ装置によれば、粉砕装置内を密閉状態にして、粉砕装置により汚物を粉砕して汚物流動体にした後、粉砕装置にエアーコンプレッサーからの圧縮空気を送り込んで汚物流動体を圧送排出する。
【先行技術文献】
【特許文献】
【０００５】
【特許文献１】特開２０００−８４４２号公報
【特許文献２】特開２００８−８６８８０号公報
【発明の概要】
【発明が解決しようとする課題】
【０００６】
ところで、特許文献１及び特許文献２のトイレ装置は、夜間や集合住宅において使用される場合に、当該トイレ装置内の弁の開閉や、汚物の粉砕及び圧送時に発生する振動や作動音により同居家族や隣接住人等に迷惑がかかる場合がある。
【０００７】
一方、当該振動や作動音を抑制するために動作速度を遅くすることが考えられるが、この場合、各部の処理時間が長くなってしまう。例えば、昼間等であって多少の振動や作動音が気にならない状況であっても長い処理時間を要してしまうことになる。
【０００８】
そこで、本発明は、上述の課題を解決したものであって、住宅事情や時間帯に応じて、振動や作動音を気にせずに使用することができるトイレ装置を提供することを目的とする。
【課題を解決するための手段】
【０００９】
本発明に係るトイレ装置は、洗浄水が流入可能に設けられて、排泄された汚物と洗浄水を受容する便器本体部と、便器本体部の下部に設けられて、便器本体部から流出した汚物を粉砕して洗浄水と共に汚物流動体と成す粉砕機構部と、圧縮空気供給装置から供給される圧縮空気を充填可能に粉砕機構部の下部に設けられて、粉砕機構部から汚物流動体が流入する流入口と、該流入口に流入した汚物流動体を廃棄場所まで導く排出管部材が接続可能な排出口とを有し、流入口から流入した汚物流動体を圧縮空気で圧送して排出口から排出する圧送部と、粉砕機構部及び圧送部の動作条件を含む動作モードを複数記憶する記憶部と、記憶部に記憶された複数の動作モードの中から選択される当該動作モードに基づいて、粉砕機構部又は圧送部、若しくは両方の動作条件を変更する制御部とを備えることを特徴とするものである。
【００１０】
また、本発明に係るトイレ装置は、洗浄水が流入可能に設けられて、排泄された汚物と洗浄水を受容する便器本体部と、便器本体部の下部に設けられて、便器本体部から流出した汚物を粉砕して洗浄水と共に汚物流動体と成して流下する粉砕機構部と、粉砕機構部の動作条件を含む動作モードを複数記憶する記憶部と、記憶部に記憶された複数の動作モードの中から選択される当該動作モードに基づいて、粉砕機構部の動作条件を変更する制御部とを備えることを特徴とするものである。
【発明の効果】
【００１１】
本発明に係るトイレ装置によれば、複数の動作モードの中から選択された当該動作モードに基づいて、粉砕機構部又は圧送部、若しくは両方の動作条件を変更する制御部を備えるものである。
【００１２】
これにより、例えば、夜間では、動作時間が長くなるように設定し、かつ、動作速度が遅くなるように設定した粉砕機構部等を動作させたり、昼間では、動作時間が短くなるように設定し、かつ、動作速度が速くなるように設定した粉砕機構部等を動作させたりすることができるようになる。この結果、住宅事情や、時間帯に応じて、振動や作動音を気にせずに当該トイレ装置を使用でき、利便性が向上する。
【図面の簡単な説明】
【００１３】
【図１】第１の実施の形態に係るトイレ装置１００の構成例を示す概略図である。
【図２】トイレ装置１００の制御系の構成例を示すブロック図である。
【図３】動作モード切替レバー８の構成例を示す説明図である。
【図４】動作モードの設定例を示す説明図である。
【図５】トイレ装置１００の動作例を示すフローチャートである。
【図６】第２の実施の形態に係るトイレ装置２００の制御系の構成例を示すブロック図である。
【図７】動作モード切替レバー８Ａの構成例を示す説明図である。
【図８】トイレ装置２００の動作例を示すフローチャートである。
【発明を実施するための形態】
【００１４】
以下、図面を参照して、本発明に係る実施の形態の一例として、トイレ装置について説明する。トイレ装置は、排泄された汚物や使用済みのトイレットペーパー等を受容する便器本体部の下方に設けられた粉砕機構部で、便器本体部に供給される洗浄水と共に汚物及びトイレットペーパー等を粉砕して排出する、病院の病室や住宅の居間等に設置可能なものである。
【００１５】
＜第１の実施の形態＞  
［トイレ装置１００の構成例］  
最初に、第１の実施の形態に係るトイレ装置１００の構成例及び通常洗浄例について説明する。図１に示すように、トイレ装置１００は、便器本体部１、粉砕機構部２、圧送タンク３、給水タンク４及び制御ユニット７等で構成される。
【００１６】
給水タンク４は、例えば１．５から３リットルの洗浄水を貯える。この洗浄水は、当該トイレ装置１００が設置されている部屋とは別の部屋にある廃棄場所の一例である備え付けトイレ５（既設の通常のトイレ）から給水タンク４に給水される。
【００１７】
備え付けトイレ５から給水タンク４へ給水する給水管５ａには給水タンク電磁弁４ａ及び流量センサ４ｂが設けられる。例えば給水タンク４の前面に設けられた便蓋開閉検知センサ４ｄが便蓋１ａの開閉を検知したり、ユーザによって洗浄ボタン４ｃが押されたりすると、制御ユニット７が給水タンク電磁弁４ａを開状態にする。すると、備え付けトイレ５からの洗浄水が給水タンク電磁弁４ａを介して給水タンク４に給水される。この給水時に給水管５ａを流れる洗浄水の流量を、給水管５ａに設けられた流量センサ４ｂが積算する。洗浄水が所定の流量だけ流れると、流量センサ４ｂから制御ユニット７へ信号を出力して、制御ユニット７は、給水タンク電磁弁４ａを閉状態にして給水タンク４への給水を停止させる。このようにして、給水タンク４に所定量の洗浄水が貯えられる。なお、流量センサの代わりに給水管５ａに流れる洗浄水の時間を積算するフローセンサを設けても構わない。
【００１８】
給水タンク４の下部にある給水口には給水弁４ｅが設けられる。また、この給水口から便器本体部１の流水口１ｃに向けて給水管４ｆが設けられる。給水弁４ｅが開くと、給水タンク４に貯えられた洗浄水が給水管４ｆを通って、流水口１ｃから便器本体部１の内部に流れ込む。その後、給水タンク４に洗浄水を再び貯めるときには、給水弁４ｅを閉じて、備え付けトイレ５から洗浄水を供給する。
【００１９】
便器本体部１の上方には便蓋１ａ及び便座１ｂが設けられる。便蓋１ａの開閉を便蓋開閉検知センサ４ｄが検知することによりトイレ装置１００の各種処理が行われる。便座１ｂには備え付けトイレ５に繋がる図示しない給水管と接続される。この給水管には備え付けトイレ５からの洗浄水が給水されて、便座１ｂから洗浄水が噴出して当該便座１ｂに腰掛けたユーザの臀部等を洗浄する。
【００２０】
便器本体部１は、洗浄水が流入する流水口１ｃと、上部から汚物を受け入れる上部開口部１ｄと、下部から洗浄水及び汚物等を排出する下部開口部１ｅとを有する。便器本体部１は、便蓋１ａを開けて便座１ｂに腰掛けたユーザから排泄された汚物を上部開口部１ｄにより受容する。そして、便器本体部１に受容された汚物は、流水口１ｃから流水する洗浄水と共に下部開口部１ｅから排出される。
【００２１】
便器本体部１の下方には粉砕機構部２が設けられる。粉砕機構部２は、便器本体部１から流出した汚物及び洗浄水が流入する開口部２ａを有する。また、粉砕機構部２は、略円盤状を成して回転する回転歯２ｂと、この回転歯２ｂの下側に設けられ、略円盤状を成して筐体２ｄと一体の固定歯２ｃとを有する。回転歯２ｂ及び固定歯２ｃにより本発明に係る粉砕歯が形成される。
【００２２】
粉砕機構部２は、便器本体部１から流出した汚物及び洗浄水を開口部２ａから取り込んで、シャフト、プーリ及びベルト等を介して接続された粉砕歯用モータＭ２により回転歯２ｂを回転させる。すると、汚物及び洗浄水は、回転歯２ｂと固定歯２ｃとの間に流入して、回転歯２ｂと固定歯２ｃとの対面しあう凹部及び凸部により粉砕される。この粉砕により、汚物及び洗浄水は汚物流動体となる。
【００２３】
また、粉砕機構部２には排出弁２ｅが設けられる。排出弁２ｅは、ウォームギア２ｆを介して排出弁用モータＭ３に接続される。排出弁用モータＭ３が回転すると共にウォームギア２ｆが回転して、排出弁２ｅが図１では左右に移動する。
【００２４】
例えば、粉砕機構部２で汚物を粉砕する際には排出弁２ｅを左側に移動させて、粉砕機構部２から汚物流動体等が排出されないように排出弁２ｅを閉じておく。粉砕機構部２の粉砕動作が完了したら、排出弁２ｅを右側に移動させて、粉砕機構部２から汚物流動体が排出されるように排出弁２ｅを開いておく。
【００２５】
便器本体部１と粉砕機構部２との間には仕切機構部１０が設けられる。仕切機構部１０は、開閉蓋用モータＭ１の作用によりクランク動作する開閉蓋１０ａによって開口部２ａを開閉して、便器本体部１と粉砕機構部２とを仕切る。
【００２６】
例えば、仕切機構部１０は、ユーザが排泄を済まして便座１ｂから立ち上がり、便蓋１ａを閉じると、開閉蓋用モータＭ１が回転して開閉蓋１０ａが移動（図１では左側に移動）して開口部２ａを開状態にする。そして、仕切機構部１０は、便器本体部１で受容した汚物及び洗浄水が開口部２ａを通って粉砕機構部２に流入すると、開閉蓋用モータＭ１が更に回転して開閉蓋１０ａが移動（図１では右側に移動）して開口部２ａを閉状態にする。
【００２７】
粉砕機構部２の下部には圧送部の一例である圧送タンク３及びエアーコンプレッサー６が設けられる。圧送タンク３は、例えば、円筒形状に加工された金属又は樹脂等で構成されている。圧送タンク３の容量は３〜５リットル程度である。
【００２８】
圧送タンク３は、圧縮空気供給装置であるエアーコンプレッサー６から供給される圧縮空気を充填可能に設けられ、エアーコンプレッサー６からの圧縮空気を取り入れるエアー供給口３ａと、粉砕機構部２により粉砕された汚物流動体が流入する流入口３ｂと、この流入口３ｂに流入した汚物流動体を備え付けトイレ５まで導く排出管部材の一例であるチューブ５３が接続可能な排出口３ｃとを有する。チューブ５３は、屈曲可能な樹脂材料やゴム材料等で形成されている。
【００２９】
圧送タンク３は、流入口３ｂから流入した汚物流動体をエアーコンプレッサー６による圧縮空気で圧送して、排出口３ｃから排出する。その後、排出口３ｃから排出された汚物流動体は、チューブ５３を介して当該トイレ装置１００が設置されている部屋と別の部屋にある備え付けトイレ５に排出される。
【００３０】
［トイレ装置１００の制御系の構成例］  
続いて、トイレ装置１００の制御系の構成例について説明する。図２に示すように、トイレ装置１００は、制御部の一例である制御ユニット７で構成される。制御ユニット７は、演算機能を有するＣＰＵ７ａ（Central Processing Unit）と、各種プログラム等を記憶するメモリ７ｂと、Ｉ／Ｏインターフェース７ｃとを有して構成される。ＣＰＵ７ａ、メモリ７ｂ及びＩ／Ｏインターフェース７ｃは、システムバス７ｄを介してそれぞれ接続される。
【００３１】
例えば、記憶部の一例であるメモリ７ｂにはトイレ装置１００を制御するためのシステムプログラムの他に、給水制御や、排出制御、圧送制御等を実行する際の制御情報や、粉砕機構部２やエアーコンプレッサー６等の動作条件を含む複数の動作モードが一時格納される。電源がオンされると、電源オン情報を検出したＣＰＵ７ａは、メモリ７ｂからシステムプログラムを読み出して、システムを起動して、当該トイレ装置１００の全体を制御するようになされる。
【００３２】
トイレ装置１００の制御系は制御ユニット７の他に、給水タンク電磁弁４ａ、流量センサ４ｂ、洗浄ボタン４ｃ、便蓋開閉検知センサ４ｄ、開閉蓋用モータ駆動部１１、粉砕歯用モータ駆動部１２、排出弁用モータ駆動部１３、エアーコンプレッサー６及び動作モード切替レバー８を有して構成される。
【００３３】
制御ユニット７には、給水タンク電磁弁４ａ、流量センサ４ｂ、洗浄ボタン４ｃ及び便蓋開閉検知センサ４ｄがＩ／Ｏインターフェース７ｃを介して接続される。
【００３４】
洗浄ボタン４ｃがユーザによって押されると、当該洗浄ボタン４ｃから洗浄信号Ｓ３が制御ユニット７に出力される。また、便蓋開閉検知センサ４ｄは、図１に示した便蓋１ａの開動作を検知すると、便器本体部１の使用開始を示す蓋開閉検出信号Ｓ４を制御ユニット７に出力する。因みに、蓋開閉検出信号Ｓ４は、便蓋１ａの開閉を示す信号でもある。便蓋開閉検知センサ４ｄには、例えば、透過型のセンサ等が使用される。便蓋開閉検知センサ４ｄは、当該トイレ装置１００の使用開始及び使用終了や未使用状態を検出して検出信号を生成する検出部の一例である。
【００３５】
制御ユニット７は、洗浄ボタン４ｃからの洗浄信号Ｓ３又は便蓋開閉検知センサ４ｄからの蓋開閉検出信号Ｓ４を受信すると、給水タンク電磁弁４ａを開閉するための電磁弁制御信号Ｓ１を生成する。そして、制御ユニット７は、生成した電磁弁制御信号Ｓ１を給水タンク電磁弁４ａに出力する。
【００３６】
給水タンク電磁弁４ａは、制御ユニット７から出力された電磁弁制御信号Ｓ１を受信すると閉状態から開状態になり、図１に示した備え付けトイレ５から給水管５ａを介して洗浄水が給水タンク４に貯留するようになされる。このとき、給水管５ａに流れる洗浄水の流量を流量センサ４ｂが積算して、所定の流量になったら給水停止信号Ｓ２を制御ユニット７へ出力する。
【００３７】
制御ユニット７は、流量センサ４ｂから出力された給水停止信号Ｓ２を受信すると、電磁弁制御信号Ｓ１を給水タンク電磁弁４ａに再度出力する。そして、給水タンク電磁弁４ａは、制御ユニット７から出力された電磁弁制御信号Ｓ１を受信すると開状態から閉状態になり、備え付けトイレ５からの給水が遮断される。
【００３８】
制御ユニット７には、更に、開閉蓋用モータ駆動部１１、粉砕歯用モータ駆動部１２、排出弁用モータ駆動部１３、エアーコンプレッサー６及び動作モード切替レバー８がＩ／Ｏインターフェース７ｃを介して接続される。また、開閉蓋用モータ駆動部１１には開閉蓋用モータＭ１が接続され、粉砕歯用モータ駆動部１２には粉砕歯用モータＭ２が接続され、排出弁用モータ駆動部１３には排出弁用モータＭ３が接続される。
【００３９】
開閉蓋用モータ駆動部１１は、制御ユニット７から出力されるモータ駆動データＤ１を入力し、このモータ駆動データＤ１をデコードしてモータ制御信号Ｓ５を生成する。開閉蓋用モータ駆動部１１は、生成したモータ制御信号Ｓ５を開閉蓋用モータＭ１に出力して開閉蓋用モータＭ１を駆動する。
【００４０】
開閉蓋用モータＭ１は、モータ制御信号Ｓ５を受信すると所定の方向に回転駆動する。そして、開閉蓋用モータＭ１は、図１に示した開閉蓋１０ａを移動させて開口部２ａを開閉する。
【００４１】
例えば、開閉蓋１０ａが左側に移動すると開口部２ａが開かれ、開閉蓋１０ａが右側に移動すると開口部２ａが閉じられる。このような開閉蓋１０ａの動作により、便器本体部１から粉砕機構部２に流入するトイレットペーパー、汚物及び洗浄水等を通過又は停止させる。
【００４２】
粉砕歯用モータ駆動部１２は、制御ユニット７から出力されるモータ駆動データＤ２を入力し、このモータ駆動データＤ２をデコードしてモータ制御信号Ｓ６を生成する。粉砕歯用モータ駆動部１２は、生成したモータ制御信号Ｓ６を粉砕歯用モータＭ２に出力して粉砕歯用モータＭ２を駆動する。
【００４３】
粉砕歯用モータＭ２は、モータ制御信号Ｓ６を受信すると所定の方向に回転駆動する。そして、粉砕歯用モータＭ２の軸が回転すると共に、シャフト、プーリ及びベルト等を介して接続されている回転歯２ｂが回転する。この回転歯２ｂが回転することにより、当該回転歯２ｂと固定歯２ｃとの間に汚物や洗浄水等が流入し、該流入した汚物や洗浄水等が粉砕される。
【００４４】
排出弁用モータ駆動部１３は、制御ユニット７から出力されるモータ駆動データＤ３を入力し、このモータ駆動データＤ３をデコードしてモータ制御信号Ｓ７を生成する。排出弁用モータ駆動部１３は、生成したモータ制御信号Ｓ７を排出弁用モータＭ３に出力して排出弁用モータＭ３を駆動する。
【００４５】
排出弁用モータＭ３は、モータ制御信号Ｓ７を受信すると所定の方向に回転駆動する。そして、排出弁用モータＭ３の軸が回転すると共に、ウォームギア２ｆが回転してこのウォームギア２ｆに接続されている排出弁２ｅが開閉する。
【００４６】
例えば、排出弁用モータＭ３が時計回りに回転すると、排出弁２ｅが図１では右側に移動して排出弁２ｅが開き、粉砕機構部２にある汚物流動体や洗浄水等が流入口３ｂから圧送タンク３に流れ込む。また、排出弁用モータＭ３が反時計回りに回転すると、排出弁２ｅが図１では左側に移動して排出弁２ｅが閉じ、粉砕機構部２にある汚物流動体や洗浄水等を貯留する。
【００４７】
制御ユニット７は、圧送タンク３の内部の圧力を検出する図示しない圧力検出センサからの圧力検出信号に基づいて圧送タンク３への圧縮空気の充填を停止するようにエアーコンプレッサー６を制御する。エアーコンプレッサー６は、制御ユニット７からの圧力制御信号Ｓ８を入力し、この圧力制御信号Ｓ８に基づいて空気を圧縮して圧送タンク３内に送出する。これにより、例えば、圧送タンク３内の流動化された汚物や洗浄水、又は圧縮空気を排出口３ｃから排出することができる。
【００４８】
動作モード切替レバー８は、操作部の一例であり、トイレ装置１００の複数の動作モードの中から所望の動作モードを選択操作する。例えば、動作モード切替レバー８は、図１の給水タンク４の前面に設けられ、図３に示すように、時計周り及び反時計回りに回転する回転軸８ａと、この回転軸に設けられて「通常モード」又は「静音モード」を指し示す指示部８ｂとで構成される。
【００４９】
指示部８ｂが通常モードを指していると、動作モード切替レバー８から通常モード信号Ｓ９が制御ユニット７に出力される。また、指示部８ｂが静音モードを指していると、動作モード切替レバー８から静音モード信号Ｓ１０が制御ユニット７に出力される。
【００５０】
制御ユニット７のＣＰＵ７ａは、Ｉ／Ｏインターフェース７ｃを介して動作モード切替レバー８から出力された通常モード信号Ｓ９又は静音モード信号Ｓ１０を受信する。
【００５１】
ＣＰＵ７ａは、通常モード信号Ｓ９を受信したら、メモリ７ｂに予め記憶されている複数の動作モードの中から通常モードを選択して、該選択した通常モードに基づいて、粉砕機構部２やエアーコンプレッサー６等の動作条件を変更する。
【００５２】
また、ＣＰＵ７ａは、静音モード信号Ｓ１０を受信したら、メモリ７ｂに予め記憶されている複数の動作モードの中から静音モードを選択して、該選択した静音モードに基づいて、粉砕機構部２やエアーコンプレッサー６等の動作条件を変更する。
【００５３】
図４に示す各動作モード及び動作条件は、メモリ７ｂにデータとして記憶されている。通常モードでは、例えば、粉砕歯（回転歯２ｂ）の回転が１００％、排出弁２ｅの開度が１００％、排出弁２ｅの開閉速度が１００％、エアーコンプレッサー６の動作が連続運転となる。また、静音モードでは、例えば、粉砕歯（回転歯２ｂ）の回転が７０％、排出弁２ｅの開度が５０％、排出弁２ｅの開閉速度が５０％、エアーコンプレッサー６の動作が間欠運転となる。
【００５４】
つまり、静音モードは通常モードよりも、粉砕歯（回転歯２ｂ）の回転数が少なく、排出弁２ｅの開度が小さく、排出弁２ｅの開閉速度が遅く、そして、エアーコンプレッサー６の動作が間欠的になる。このように各動作条件を設定すると、トイレ装置１００の振動や作動音を減少することができる。動作モードは、動作モード切替レバー８によりユーザが適宜切り替え可能であるので、ユーザは、トイレ装置１００の振動や作動音が気になったら、動作モード切替レバー８で動作モードを静音モードに切り替えれば良い。
【００５５】
［トイレ装置１００の動作例］  
次に、トイレ装置１００の動作例についてフローチャートを用いて説明する。図５に示すように、ステップＳＴ１では、ユーザによって洗浄ボタン４ｃが押されたか否かを判断する。言い換えると、ＣＰＵ７ａは、洗浄ボタン４ｃから出力される洗浄信号Ｓ３が当該ＣＰＵ７ａに入力されたか否かを判断する。洗浄ボタン４ｃが押されたらステップＳＴ３に移行し、洗浄ボタン４ｃが押されていなかったらステップＳＴ２に移行する。
【００５６】
ステップＳＴ２では、ＣＰＵ７ａは、便蓋開閉検知センサ４ｄによって便蓋１ａが閉じられたことを検知したか否かを判断する。つまり、ＣＰＵ７ａは、便蓋開閉検知センサ４ｄから出力される蓋開閉検出信号Ｓ４が当該ＣＰＵ７ａに入力されたか否かを判断する。
便蓋開閉検知センサ４ｄによって便蓋１ａが閉じられたことを検知したらステップＳＴ３に移行し、便蓋開閉検知センサ４ｄによって便蓋１ａが閉じられたことを検知していなかったらステップＳＴ１に再び戻る。
【００５７】
ステップＳＴ３では、ＣＰＵ７ａは、通常モードになっているか、又は、静音モードになっているかを判断する。通常モード及び静音モードの判断は、通常モード信号Ｓ９又は静音モード信号Ｓ１０が動作モード切替レバー８から出力されたらそれらをメモリ７ｂに記憶させておき、ＣＰＵ７ａがメモリ７ｂから通常モード信号Ｓ９又は静音モード信号Ｓ１０を読み出すことにより判断可能である。
【００５８】
トイレ装置１００が通常モードになっている場合、つまり、メモリ７ｂに通常モード信号Ｓ９が記憶されている場合には、ステップＳＴ４に移行する。トイレ装置１００が静音モードになっている場合、つまり、メモリ７ｂに静音モード信号Ｓ１０が記憶されている場合には、ステップＳＴ６に移行する。
【００５９】
ステップＳＴ４では、ＣＰＵ７ａは、メモリ７ｂから通常モードの動作条件データを読み出す。そして、ステップＳＴ５に移行して、ＣＰＵ７ａは、読み出した動作条件データで通常モードを実行する。例えば、ＣＰＵ７ａは、図４に示したように、回転歯２ｂの回転が１００％、排出弁２ｅの開度が１００％、排出弁２ｅの開閉速度が１００％、エアーコンプレッサー６の動作が連続運転になるように、各部を制御する。
【００６０】
ステップＳＴ６では、ＣＰＵ７ａは、メモリ７ｂから静音モードの動作条件データを読み出す。そして、ステップＳＴ７に移行して、ＣＰＵ７ａは読み出した動作条件データで静音モードを実行する。例えば、ＣＰＵ７ａは、図４に示したように、回転歯２ｂの回転が７０％、排出弁２ｅの開度が５０％、排出弁２ｅの開閉速度が５０％、エアーコンプレッサー６の動作が間欠運転になるように、各部を制御する。
【００６１】
このように、第１の実施の形態に係るトイレ装置１００によれば、複数の動作モード（例えば、通常モード及び静音モード）の中から選択された当該動作モードに基づいて、粉砕機構部２やエアーコンプレッサー６等の動作条件を変更する制御ユニット７を備えるものである。
【００６２】
例えば、粉砕機構部２の動作条件には、粉砕歯用モータＭ２の回転数、排出弁２ｅの開度及び開閉速度が含まれ、エアーコンプレッサー６の動作条件には、加圧時間（連続運転又は間欠運転）が含まれる。また、複数の動作モードの切り替えは動作モード切替レバー８により切り替え可能である。
【００６３】
これにより、例えば、夜間では、動作時間が長くなるように設定し、かつ、動作速度が遅くなるように設定した粉砕機構部２等を動作させたり、昼間では、動作時間が短くなるように設定し、かつ、動作速度が速くなるように設定した粉砕機構部２等を動作させたりすることができるようになる。この結果、住宅事情や、時間帯に応じて、振動や作動音を気にせずに当該トイレ装置１００を使用でき、利便性が向上する。
【００６４】
＜第２の実施の形態＞  
第２の実施の形態では、第１の実施の形態で説明したトイレ装置１００にＲＴＣ７ｅを追加したトイレ装置２００について説明する。第１の実施の形態と同じ名称及び符号のものは同じ機能を有するので、その説明を省略する。
【００６５】
［トイレ装置２００の制御系の構成例］  
まずは、第２の実施の形態に係るトイレ装置２００の制御系の構成例について説明する。図６に示すように、トイレ装置２００は、制御ユニット７Ａ、給水タンク電磁弁４ａ、流量センサ４ｂ、洗浄ボタン４ｃ、便蓋開閉検知センサ４ｄ、開閉蓋用モータ駆動部１１、粉砕歯用モータ駆動部１２、排出弁用モータ駆動部１３、エアーコンプレッサー６及び動作モード切替レバー８Ａで構成される。給水タンク電磁弁４ａ、流量センサ４ｂ、洗浄ボタン４ｃ、便蓋開閉検知センサ４ｄ、開閉蓋用モータ駆動部１１、粉砕歯用モータ駆動部１２、排出弁用モータ駆動部１３、エアーコンプレッサー６及び動作モード切替レバー８Ａは、制御ユニット７Ａにそれぞれ接続される。
【００６６】
給水タンク電磁弁４ａ、流量センサ４ｂ、洗浄ボタン４ｃ、便蓋開閉検知センサ４ｄ、開閉蓋用モータ駆動部１１、粉砕歯用モータ駆動部１２、排出弁用モータ駆動部１３及びエアーコンプレッサー６については、前述の第１の実施の形態（図２）で説明したトイレ装置１００と同じ機能を有するので、その説明を省略する。
【００６７】
制御ユニット７Ａは、ＣＰＵ７ａ、メモリ７ｂ、Ｉ／Ｏインターフェース７ｃ、ＲＴＣ７ｅ（Real Time Clock）及びバッテリー７ｆを有して構成される。ＣＰＵ７ａ、メモリ７ｂ、Ｉ／Ｏインターフェース７ｃ及びＲＴＣ７ｅは、システムバス７ｄを介してそれぞれ接続される。ＲＴＣ７ｅにはバッテリー７ｆが接続される。
【００６８】
ＲＴＣ７ｅは、時間管理部の一例であり、複数の動作モード（通常モード又は静音モード）の中から所望の動作モードを現在の時刻に基づいて選択出力する。ＲＴＣ７ｅは、例えばトイレ装置２００が停電になっても、バッテリー７ｆからの電源供給によりＯＦＦになることはない。
【００６９】
図７に示すように、動作モード切替レバー８Ａは、時計周り及び反時計回りに回転する回転軸８ｃと、この回転軸に設けられて「通常モード」、「静音モード」又は「自動モード」を指し示す指示部８ｄとで構成される。
【００７０】
指示部８ｄが通常モードを指していると、動作モード切替レバー８Ａから通常モード信号Ｓ９が制御ユニット７Ａに出力される。また、指示部８ｄが静音モードを指していると、動作モード切替レバー８Ａから静音モード信号Ｓ１０が制御ユニット７Ａに出力される。そして、指示部８ｄが自動モードを指していると、動作モード切替レバー８Ａから自動モード信号Ｓ１１が制御ユニット７Ａに出力される。
【００７１】
制御ユニット７ＡのＣＰＵ７ａは、Ｉ／Ｏインターフェース７ｃを介して動作モード切替レバー８Ａから出力された通常モード信号Ｓ９、静音モード信号Ｓ１０又は自動モード信号Ｓ１１を受信する。
【００７２】
ＣＰＵ７ａは、通常モード信号Ｓ９を受信したら、メモリ７ｂに予め記憶されている複数の動作モードの中から通常モードを選択して、該選択した通常モードに基づいて、粉砕機構部２やエアーコンプレッサー６等の動作条件を変更する。
【００７３】
また、ＣＰＵ７ａは、静音モード信号Ｓ１０を受信したら、メモリ７ｂに予め記憶されている複数の動作モードの中から静音モードを選択して、該選択した静音モードに基づいて、粉砕機構部２やエアーコンプレッサー６等の動作条件を変更する。
【００７４】
そして、ＣＰＵ７ａは、自動モード信号Ｓ１１を受信したら、ＲＴＣ７ｅから現在の時刻を読み出して、該読み出した時刻に基づいて、通常モード又は静音モードに切り替えて、粉砕機構部２やエアーコンプレッサー６等の動作条件を変更する。例えば、ＣＰＵ７ａは、現在の時刻が２２時から７時の間であれば静音モードに切り替え、現在の時刻が２２時から７時の間以外であれば通常モードに切り替える。
【００７５】
［トイレ装置２００の動作例］  
次に、トイレ装置２００の動作例についてフローチャートを用いて説明する。図８に示すように、ステップＳＴ１１では、ＣＰＵ７ａは、ユーザによって洗浄ボタン４ｃが押されたか否かを判断する。言い換えると、ＣＰＵ７ａは、洗浄ボタン４ｃから出力される洗浄信号Ｓ３が当該ＣＰＵ７ａに入力されたか否かを判断する。洗浄ボタン４ｃが押されたらステップＳＴ１３に移行し、洗浄ボタン４ｃが押されていなかったらステップＳＴ１２に移行する。
【００７６】
ステップＳＴ１２では、ＣＰＵ７ａは、便蓋開閉検知センサ４ｄによって便蓋１ａが閉じられたことを検知したか否かを判断する。つまり、ＣＰＵ７ａは、便蓋開閉検知センサ４ｄから出力される蓋開閉検出信号Ｓ４が当該ＣＰＵ７ａに入力されたか否かを判断する。便蓋開閉検知センサ４ｄによって便蓋１ａが閉じられたことを検知したらステップＳＴ１３に移行し、便蓋開閉検知センサ４ｄによって便蓋１ａが閉じられたことを検知していなかったらステップＳＴ１１に戻る。
【００７７】
ステップＳＴ１３では、ＣＰＵ７ａは、通常モードになっているか、静音モードになっているか、又は、自動モードになっているかを判断する。通常モード、静音モード及び自動モードの判断は、通常モード信号Ｓ９、静音モード信号Ｓ１０又は自動モード信号Ｓ１１が動作モード切替レバー８Ａから出力されたらそれらをメモリ７ｂに記憶させておき、ＣＰＵ７ａがメモリ７ｂから通常モード信号Ｓ９、静音モード信号Ｓ１０又は自動モード信号Ｓ１１を読み出すことにより判断可能である。
【００７８】
トイレ装置２００が通常モードになっている場合、つまり、メモリ７ｂに通常モード信号Ｓ９が記憶されている場合には、ステップＳＴ１４に移行する。トイレ装置２００が静音モードになっている場合、つまり、メモリ７ｂに静音モード信号Ｓ１０が記憶されている場合には、ステップＳＴ１５に移行する。トイレ装置２００が自動モードになっている場合、つまり、メモリ７ｂに自動モード信号Ｓ１１が記憶されている場合には、ステップＳＴ１８に移行する。
【００７９】
ステップＳＴ１４からステップＳＴ１７は、第１の実施の形態（図５）で前述したステップＳＴ４からステップＳＴ７と同じであるので、その説明を省略する。
【００８０】
ステップＳＴ１８では、ＣＰＵ７ａは、現在の時刻を検知する。例えば、ＣＰＵ７ａは、時刻をカウントしているＲＴＣ７ｅから時刻データを読み出すことに現在の時刻を検知する。
【００８１】
ステップＳＴ１９に移行して、ＣＰＵ７ａは、現在の時刻が２２時から７時の間であるか否かを判断する。現在の時刻が２２時から７時の間でなければステップＳＴ１４に移行して、通常モードでトイレ装置２００を動作させる。これにより、多少の振動や作動音が気にならない昼間にトイレ装置２００を通常に駆動させることで、当該トイレ装置２００の各部の処理時間を長くする必要がなくなる。また、現在の時刻が２２時から７時の間であればステップＳＴ１６に移行して、静音モードでトイレ装置２００を動作させる。これにより、夜間にトイレ装置２００を静かに駆動させることで、ユーザは周囲を気遣わずに当該トイレ装置２００を使用することができる。
【００８２】
このように、第２の実施の形態に係るトイレ装置２００によれば、通常モード、静音モード又は自動モードを切替可能な動作モード切替レバー８Ａと、現在の時刻を計時するＲＴＣ７ｅとを備えるものである。
【００８３】
これにより、動作モード切替レバー８Ａを自動モードに設定しておくと、夜間では静音モードでトイレ装置２００が駆動し、昼間では通常モードでトイレ装置２００が駆動する。この結果、自動的に（時刻によって）トイレ装置２００の動作モードが切り替わるので、ユーザが静音モードや通常モードに切り替える煩雑な作業を削減でき、当該トイレ装置２００の利便性が向上する。
【００８４】
なお、第１及び第２の実施の形態では、粉砕機構部２で汚物を粉砕後、汚物流動体を圧送タンク３により圧送して排出するトイレ装置について説明したが、これに限定されず、圧送タンク３による圧送を行わずに、粉砕機構部２から汚物流動体を直接トイレ装置外に排出するものであっても構わない。
【００８５】
また、第１及び第２の実施の形態では、動作モードとして、通常モード及び静音モードを例に挙げたが、これに限定されず、静音モードよりもより静かなモードを設定しても良いし、通常モードよりも各部の動作速度が速く動作時間が短いモードを設定しても良い。
【００８６】
また、第２の実施の形態では、現在の時刻が２２時から７時であるか否かを基準にして動作モードを切り替えたが、これに限定されず、動作モードの切り替え時刻は適宜変更可能である。
【符号の説明】
【００８７】
１・・・便座本体部、１ａ・・・便蓋、１ｂ・・・便座、２・・・粉砕機構部、３・・・圧送タンク（タンク部）、４・・・給水タンク、５・・・備え付けトイレ（廃棄場所）、６・・・エアーコンプレッサー（圧縮空気供給部）、７，７Ａ・・・制御ユニット（制御部）、７ａ・・・ＣＰＵ、７ｂ・・・メモリ（記憶部）、７ｃ・・・Ｉ／Ｏインターフェース、７ｄ・・・システムバス、７ｅ・・・ＲＴＣ（時刻管理部）、７ｆ・・・バッテリー、８，８Ａ・・・動作モード切替レバー（操作部）、１００，２００・・・トイレ装置
【図１】
2012057395.tif 000003
【図２】
2012057395.tif 000004
【図３】
2012057395.tif 000005
【図４】
2012057395.tif 000006
【図５】
2012057395.tif 000007
【図６】
2012057395.tif 000008
【図７】
2012057395.tif 000009
【図８】
2012057395.tif 000010